(57)【要約】      （修正有）【課題】ブラジャーやその他の女性用のランジェリーの薄手の生地やその上に着用する夏季の薄手のブラウスなどの上着からも通気性を良好とした孔の部分を見え難くしたカップ成形体を提供する。【解決手段】ブラジャーのバストと当接する部分のカップ形状部に挿着するための微小な連続気泡のウレタンフォームのカップ成形体で、全面に５〜８ｍｍの間隔で、表裏に開口する１．５〜２ｍｍ径の小孔の通気孔４ａを分散して設け、全面の通気性を微小な連続気泡より良好なものとし、身体に装着した際に最も汗をかく乳房形状下部のカップ立上り部５に、１５〜２０ｍｍ間隔で６〜８ｍｍ径の大径の通気孔４ｂを設けて、この部分の通気性を最も良好なものとしているウレタンフォームからなるカップ成形体である。【選択図】図１
0003168220.tif 000002
【実用新案登録請求の範囲】
【請求項１】
ブラジャーやその他の女性用のファンデーションのバスト当接する部分のカップ形状部に装着するためのカップ成形体において、微小な連続気泡のウレタンフォームからなり、さらにこのウレタンフォームのカップ成形体の全面に５ｍｍないし８ｍｍ前後の間隔で１．５ｍｍないし２ｍｍ径の表裏に開口する通気孔をカップの全面に設けて全面の通気性を微小な連続気泡よりも良好とし、さらにブラジャーやファンデーションなどを身体に装着した際に最も汗をかく乳房形状下部の立上り部の周縁部に１５ｍｍないし２０ｍｍ間隔で６ｍｍないし８ｍｍ径の大径の通気孔を設けてこの部分の通気性を最も良好なものとしていることを特徴とするウレタンフォームからなるカップ成形体。
【請求項２】
ウレタンフォームからなるカップ成形体は微小な連続気泡のウレタンフォームの表裏に編地からなる薄布を貼付して有することを特徴とする請求項１に記載のウレタンフォームからなるカップ成形体。
【考案の詳細な説明】
【技術分野】
【０００１】
この考案はブラジャーその他のファンデーションの女性の乳房と当接する部分に装着するカップ成形体であって、連続気泡からなるウレタンフォーム板状体をモールド成形によりカップ状に形状化したモールドカップであって、約１０ｍｍ前後の間隔で表裏に開口する約２ｍｍｍ径の通気孔をカップ成形体の全面に設け、全面の通気性を良好とすると共に、ブラジャーやファンデーションなどを身体に装着した際に最も汗をかく乳房下端部周辺の通気性をより良好なものとしたウレタンフォームからなるカップ成形体に関する。
【背景技術】
【０００２】
従来、ブラジャーは乳房を安定にサポートし、かつ、乳房形状を格好よく補整する作用を有するものとして女性に必須の下着である。現在、常用されているブラジャーの大多数は、乳房のカップ部形状に成形したウレタンフォームなどからなるカップ成形体をブラジャーのカップ部に内蔵したり、あるいは乳房に沿う乳房形状の立ち上り部の周縁部のアンダーバスト形状を補うパットを内蔵している。すなわち、乳房形状をしたカップ成形体をブラジャーのカップ部に内装することにより、乳房を安定にサポートし、さらに乳房の形状を補整したり、あるいは乳房形状下部のカップ立上り部のアンダーバストの形状に沿って形成されたパッドを、ブラジャーのカップ部に装着することによりバストの形状を補整したりしている。これらのブラジャーを構成する生地の内部に内蔵されたカップ成形体やパッドは女性の乳房にフィットして乳房を下方から支え、左右の乳房を中央に寄せて持ち上げる形状に形成されており、乳房の形状を補整し、乳房の形を美しくあるいは豊かに見せる機能を有するものである（例えば、特許文献１参照）。
【０００３】
このように、ブラジャーに内装したウレタンフォームなどから成形されたカップ成形体やパッドは乳房を豊かに見せることができ、バストのサポート機能として優れている。しかし、例えば夏季の高湿度下では、カップ成形体やパッドの素材であるウレタンフォームは、その気泡が微小で緻密であるので、たとえ気泡が連続気泡に成形されていても通気性は十分でなく阻害される。そのために蒸れて必ずしも装着感触の満足できるものではなかった。
【０００４】
そこで、ブラジャーに内装または装着してバストを豊かに見せると共に、乳房の形状を補整してより美しく保ち、さらに乳房をサポートする機能が高く、乳房に苦痛を与えることなく、装着感触に優れたカップ成形体やパッドの通気性を一層良好なものとし、蒸れを解消する機能をより向上させたウレタンフォームからなるカップ成形体あるいはパッドを考案者らは開発している（例えば、特許文献２参照。）。ところで、この開発によるものはカップ成形体の全面に２０個ないし４０個からなる径２ｍｍないし８ｍｍの表裏に開口する通気孔を分散させて有するものである。しかし、これらの通気孔はカップ成形体の全面に均等に同じ径の通気孔として設けているので、通気孔が小径である径２ｍｍまたはその前後の径の場合は、夏季に最も汗をかく乳房形状下部のカップ立上り部の通気性は十分でない。一方、カップ成形体の全面に大径である径８ｍｍまたはその前後の径の通気孔を設けた場合は、通気孔の径が大きいので、ブラジャーやその他のファンデーションの乳房当接部にカップ成形体を装着した際に、これらカップ成形体の大径である径８ｍｍまたはその前後の径の通気孔がブラジャーやそのファンデーションの薄手の表面生地から透けて見えることとなり、さらに夏季にそれらのブラジャーファンデーションの上に着用した薄手のブラウスなどの上着からも透けて見えるなどの不具合が生ずる恐れがあった。
【先行技術文献】
【特許文献】
【０００５】
【特許文献１】特開２０００−３１４００８号公報
【特許文献２】登録実用新案第３０９９２５４号公報
【考案の概要】
【考案が解決しようとする課題】
【０００６】
この考案は、ブラジャーやその他の女性用のランジェリーなどのファンデーションのバスト当接部分であるカップ形状部に装着するためのカップ成形体において、微小な連続気泡からなるウレタンフォームから形成された通気性のあるカップ成形体の全面の通気性をより良好とすると共に、さらにブラジャーやファンデーションなどを身体に装着した際に、最も汗をかく乳房形状下部のカップ立上り部の通気性を最も良好なものとしたウレタンフォームからなるモールドカップ成形体を提供することである。しかも、ブラジャーやその他の女性用のランジェリーの薄手の生地やその上に着用する夏季の薄手のブラウスなどの上着からもそれらの通気性を最も良好とした部分を見え難くしたカップ成形体を提供することである。
【課題を解決するための手段】
【０００７】
上記の課題を解決するための、本考案の第１の手段は、ブラジャーやその他のファンデーションのバストと当接する部分のカップ形状部に挿着するためのカップ成形体である。このカップ成形体は、微小な連続気泡のウレタンフォームからなり、さらに、このウレタンフォームのカップ成形体の全面に５ｍｍないし８ｍｍ前後の間隔で、表裏に開口する１．５ｍｍないし２ｍｍ径の小孔からなる通気孔を分散して設け、全面の通気性を微小な連続気泡より良好なものとしている。さらに、ブラジャーやファンデーションなどを身体に装着した際に最も汗をかく乳房形状下部のカップ立上り部に、１５ｍｍないし２０ｍｍ間隔で６ｍｍないし８ｍｍ径の大径からなる通気孔を設けて、この部分の通気性を最も良好なものとしている。この第１の手段は、以上の構成からなるウレタンフォームからなるカップ成形体である。
【０００８】
本考案の第２の手段は、ウレタンフォームからなるカップ成形体は微小な連続気泡のウレタンフォームの表裏に編地からなる薄布を貼付して有する、第１の手段のウレタンフォームからなるカップ成形体である。
【考案の効果】
【０００９】
本考案のブラジャーやその他の女性用のファンデーションのバストと当接する部分のカップ形状部に装着するカップ成形体は微小な連続気泡のウレタンフォームから形成されているが、カップ形状部を有するブラジャーやその他の女性用のファンデーションの身体への装着感を良好とするために、微小な連続気泡のウレタンフォームにさらにその全面に１．５〜２ｍｍ径の小径からなる通気孔を５〜８ｍｍ間隔で分散して形成して通気性を微小な連続気泡より良好とし、さらに特に最も汗をかきやすい乳房形状下部のカップ立上り部に、約１５ｍｍないし２０ｍｍ間隔で約６ｍｍないし８ｍｍ径のより大径の通気孔を設けているので、これらの通気孔による通気性が良好となり、夏季にブラジャーなどに本考案のカップ成形体を装着しても、汗でむれることがなく、さらにこれらの通気孔が薄手のブラウスなどの上着を通して見えることがない。しかも、このカップ成形体は乳房形状下部のカップ立上り部に大径の通気孔を設けているので乳房の陰となり、夏季に着用した薄手のブラウスなどの上着を通して、これらの大径の通気孔が見えることがない。
【００１０】
さらに、本考案のカップ成形体は微小な連続気泡のウレタンフォームの表裏に編地からなる薄布を貼付して有するので、直接肌に接しても違和感がなく、また、薄手のブラウスなどの上着を通してより一層に外部からこれらの通気孔が見えないものとなっている。
【図面の簡単な説明】
【００１１】
【図１】本考案のカップ成形体を模式的に示す平面図である。
【図２】本考案の微小な連続気泡のウレタンフォームの表裏に編地からなる薄布を貼付したカップ成形体を模式的に示す平面図である。
【図３】本考案のカップ成形体を装着したブラジャーを模式的に示す斜視図である。
【考案を実施するための形態】
【００１２】
以下に、この考案の実施の形態を図面を参照して説明する。先ず、本考案の第１の手段の実施の形態について説明する。この考案は、ブラジャー２やその他のファンデーションのバストと当接するカップ形状部３に装着するためのカップ成形体１である。このカップ成形体１は微小な連続気泡を全面に形成して有するウレタンフォームからなる例えば厚さ２０ｍｍの板状体をモールド成形すなわちモールドにより加熱して、図１に示す形状のカップ成形体１の外周部を最も薄く加圧成形し、微小な連続気泡を全面に残した状態で有するウレタンフォームからなるカップ成形体１としている。この場合、モールド成形する前に、これらの通気孔４を厚さ２０ｍｍの板状体に機械的に開口して形成し、この通気孔を有する厚さ２０ｍｍの板状体を上記のようにモールド成形して、図１に示すカップ成形体１とする。
【００１３】
すなわち、図１に示す微小な連続気泡のウレタンフォームからなるカップ成形体１は、その全面の表裏に開口した通気孔４を分散して有している。これらの通気孔４は、カップ成形体１のほぼ全面に約５ｍｍないし８ｍｍの間隔で表裏に開口した１．５ｍｍないし２ｍｍ径の小径の通気孔４ａと、乳房形状下部のカップ立上り部に約１５ｍｍないし２０ｍｍの間隔で表裏に開口した６ｍｍないし８ｍｍ径の大径の通気孔４ｂからなっている。このうちの小径の通気孔４ａはカップ成形体１の全面の通気性を微小な連続気泡よりも良好なものとし、大径の通気孔４ｂはブラジャーやファンデーションなどを身体に装着した際に最も汗をかくカップ成形体１の乳房形状下部３ａのカップ立上り部５の通気性を最も良好なものとしている。
【００１４】
ところで、図１に示すカップ成形体１のほぼ全面に有する小径の通気孔４ａは大きさが１．５〜２ｍｍ径と小さいので、ブラジャーに装着したときブラジャーの表面の生地により、たとえ夏季に薄手のブラウスを着用しても、このブラウスを通して透けて見えることはない。一方、大径の通気孔４ｂは大きさが６〜８ｍｍ径と大きいので、カップ成形体１の中央部に設けた場合は、ブラジャーに装着したときブラジャーの表面の生地を通して見えやすく、たとえその上にブラジャーを装着しても薄手のブラジャーであれば、これらの大径の通気孔４ｂが透けて見えることとなる。しかし、本願考案の場合は、図１に示すように、乳房形状下部３ａのカップ立上り部５の部分にのみ、これらの大径の通気孔４ｂを設けているので、乳房の下部の立上り部の傾いた部分で大径の通気孔４ｂは斜めになっているので、夏季にその上にブラウスを着用すると、たとえ薄手のブラウスであってもこれらの大径の通気孔４は外部から見えにくくなっている。さらに、夏場に最も汗をかく乳房の下部立上り部の部分に、カップ成形体１の大径の通気孔４を配置しているので、蒸れることなくブラジャーを装着することができる。
【００１５】
次いで、本考案の第２の手段の実施の形態について説明する。第２の実施の形態のカップ成形体１は、第１の実施の形態のカップ成形体１の表裏に、編地からなる薄布６、例えば、ポリエステル繊維の薄布６を貼付して形成したカップ成形体１である。この編地からなる薄布６の貼付は、微小な連続気泡を全面に形成して有し、さらに小径の通気孔４ａと大径の通気孔４ｂを予め規定の位置に開口して設けた、ウレタンフォームからなる例えば厚さ２０ｍｍの板状体の表裏に、さらに編地からなる薄布６を重ねて配置した後、モールド成形すなわちモールドにより加熱成形してモールド成形することで、ウレタンフォームの表裏に編地からなる薄布６を熱融着して形成している。
【００１６】
このように、本考案の第２の手段の実施の形態のカップ成形体１は、ウレタンフォームの表裏に編地からなる薄布６を有するので、肌触りが良好であり、したがって、直接肌に接しても違和感がない。また、通気孔４は編地からなる薄布６により覆われているので外見からは見え難く、図３に示すブラジャー２のカップ形状部３に挿着すると通気孔４はより一層に見え難くなっている。したがって、さらに夏季に薄手のブラウスなどの上着を着用すると、大径の通気孔４ｂは乳房形状下部３ａのカップ立上り部５の部分に位置して斜めに傾いているので、なお一層に外部から見え難いものになっている。さらに、この第２に手段のカップ成形体１においても、夏場に最も汗をかく乳房の下部立上り部の部分に、カップ成形体１の大径の通気孔４を配置しているので、蒸れることなくブラジャーを装着することができる。
【符号の説明】
【００１７】
１  カップ成形体
１ａ  モールドカップ
２  ブラジャー
３  カップ形状部
３ａ  乳房形状下部
４  通気孔
４ａ  小径の通気孔
４ｂ  大径の通気孔
５  カップ立上り部
６  編地からなる薄布
【図１】
0003168220.tif 000003
【図２】
0003168220.tif 000004
【図３】
0003168220.tif 000005